(57)【要約】【課題】インターロックスイッチを設けた場合であっても、内部のレイアウトの自由度を向上できるとともに小型化が図れるプロジェクタを提供する。【解決手段】プロジェクタ１は、光源装置３１と、電源コネクタ１０を介して外部から供給された電力を光源装置３１に供給する電源装置５と、光源装置３１および電源装置５を内部に収納する外装筐体２とを備える。外装筐体２には、光源装置３１の配設位置に対応した位置に交換用開口部が形成されているとともに、交換用開口部を閉塞する蓋体が着脱自在に設けられている。光源装置３１を構成するリフレクタ３１１２の光射出後方側には、電源コネクタ１０および電源装置５間にケーブルを介して接続され、蓋体の着脱に連動して電源コネクタ１０から電源装置５への電力供給を許容または遮断するインターロックスイッチ６が配設されている。【選択図】図４
2009210860.tif 000002
【特許請求の範囲】
【請求項１】
光源装置と、電源コネクタを介して外部から供給された電力を前記光源装置に供給する電源装置と、前記光源装置および前記電源装置を内部に収納する外装筐体とを備えたプロジェクタであって、
前記光源装置は、光源ランプと、断面略凹状に拡がり前記光源ランプから放射された光束を反射するリフレクタとを備え、
前記外装筐体には、前記光源装置の配設位置に対応した位置に交換用開口部が形成されているとともに、前記交換用開口部を閉塞する蓋体が着脱自在に設けられ、
前記電源コネクタおよび前記電源装置間にケーブルを介して接続され、前記蓋体の着脱に連動して前記電源コネクタから前記電源装置への電力供給を許容または遮断するインターロックスイッチを備え、
前記インターロックスイッチは、前記リフレクタの光射出後方側に配設されている
ことを特徴とするプロジェクタ。
【請求項２】
請求項１に記載のプロジェクタにおいて、
前記外装筐体には、前記インターロックスイッチの外形形状に応じた枠形状を有し、前記インターロックスイッチが嵌合固定されるスイッチ保持部が形成されている
ことを特徴とするプロジェクタ。
【請求項３】
請求項１または請求項２に記載のプロジェクタにおいて、
前記交換用開口部は、前記外装筐体の各側壁部のいずれか一の側壁部に形成され、
前記交換用開口部の周縁部分には、前記側壁部外面から内部に向けて窪み、前記一の側壁部から前記一の側壁部に交差する他の側壁部にかけて設置用凹部が形成され、
前記蓋体は、前記設置用凹部に対応した形状を有し、前記設置用凹部上を摺動自在に設けられ、
前記交換用開口部の縁部および前記設置用凹部の少なくともいずれか一方と前記蓋体とには、前記蓋体の摺動方向に沿って突出する係合用突起部と、前記蓋体が前記外装筐体に取り付けられる取付位置に摺動された際に前記係合用突起部が挿通され前記蓋体の前記外装筐体から離間する方向への移動を規制する係合用凹部とを有する係合構造が設けられている
ことを特徴とするプロジェクタ。
【請求項４】
請求項３に記載のプロジェクタにおいて、
前記蓋体には、
前記交換用開口部を介して内部に突出し、前記蓋体が前記取付位置から離間する方向に摺動された際に前記交換用開口部の縁部に当接する規制用突起部と、
前記規制用突起部が前記交換用開口部の縁部に当接した状態で前記インターロックスイッチを押圧し前記電力供給を許容させる作動用突起部とが設けられ、
前記作動用突起部は、前記蓋体の摺動方向に沿って延出し、前記蓋体の前記取付位置への摺動時に前記インターロックスイッチの押圧状態を継続する
ことを特徴とするプロジェクタ。
【請求項５】
請求項１から請求項４のいずれかに記載のプロジェクタにおいて、
前記外装筐体には、前記交換用開口部の開口面に直交する方向から見た場合に、前記インターロックスイッチを平面的に覆う遮蔽部が設けられ、
前記遮蔽部には、前記インターロックスイッチに向けて貫通する貫通孔が形成され、
前記蓋体には、前記貫通孔を介して内部に突出し前記インターロックスイッチを押圧して前記電力供給を許容させる作動用突起部が設けられている
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光をスクリーン等に拡大投射する投射光学装置とを備えたプロジェクタが知られている。
このようなプロジェクタでは、使用時間の経過に伴って光源装置から射出される光束の明るさが低下するため、利用者が光源装置を交換可能とする構造が採用される（例えば、特許文献１参照）。
ところで、利用者に安全な状態で光源装置を交換させるためには、光源装置の交換時において、電源装置から光源装置への電力供給を遮断する必要がある。
このため、特許文献１に記載のプロジェクタでは、光源装置を交換するために外装筐体に着脱自在に設けられる蓋体（ランプ交換用蓋）の着脱に連動して電源のオンオフを行うインターロックスイッチが設けられている。
具体的に、インターロックスイッチは、電源装置のシールドケースに固定されている。そして、外装筐体への蓋体の取り付け時には蓋体に設けられた作動突起にてインターロックスイッチが押圧され、光源装置への電力供給が許容される。また、蓋体の取り外し時（光源装置の交換時）には作動突起によるインターロックスイッチの押圧状態が解除され、光源装置への電力供給が遮断される。
【０００３】
【特許文献１】特開２０００−３２１６６４号公報
【発明の開示】
【発明が解決しようとする課題】
【０００４】
しかしながら、特許文献１に記載のプロジェクタでは、インターロックスイッチが電源装置に固定されているため、蓋体周辺に電源装置を配置する必要があり、プロジェクタ内部のレイアウトの自由度が制約されてしまう。また、電源装置と他の部材との間にインターロックスイッチを設けるためのスペースが必要となり、プロジェクタの小型化が阻害されてしまう。
【０００５】
本発明の目的は、インターロックスイッチを設けた場合であっても、内部のレイアウトの自由度を向上できるとともに小型化が図れるプロジェクタを提供することにある。
【課題を解決するための手段】
【０００６】
本発明のプロジェクタは、光源装置と、電源コネクタを介して外部から供給された電力を前記光源装置に供給する電源装置と、前記光源装置および前記電源装置を内部に収納する外装筐体とを備えたプロジェクタであって、前記光源装置は、光源ランプと、断面略凹状に拡がり前記光源ランプから放射された光束を反射するリフレクタとを備え、前記外装筐体には、前記光源装置の配設位置に対応した位置に交換用開口部が形成されているとともに、前記交換用開口部を閉塞する蓋体が着脱自在に設けられ、前記電源コネクタおよび前記電源装置間にケーブルを介して接続され、前記蓋体の着脱に連動して前記電源コネクタから前記電源装置への電力供給を許容または遮断するインターロックスイッチを備え、前記インターロックスイッチは、前記リフレクタの光射出後方側に配設されていることを特徴とする。
【０００７】
本発明では、プロジェクタを構成するインターロックスイッチは、電源コネクタおよび電源装置間にケーブルを介して接続されている。このことにより、インターロックスイッチを電源装置から離間した位置に配設することができ、すなわち、電源装置を蓋体周辺に配設する必要がなく、プロジェクタ内部のレイアウトの自由度を向上できる。
ここで、リフレクタは、断面略凹状に形成されているため、リフレクタの光射出後方側はデッドスペースになりやすいものである。本発明では、インターロックスイッチは、リフレクタの光射出後方側に配設されている。すなわち、デッドスペースとなるリフレクタの光射出後方側にインターロックスイッチを配設することで、外装筐体内部において、インターロックスイッチを設けるためのスペースを別途、設ける必要がなく、プロジェクタの小型化が図れる。
【０００８】
本発明のプロジェクタでは、前記外装筐体には、前記インターロックスイッチの外形形状に応じた枠形状を有し、前記インターロックスイッチが嵌合固定されるスイッチ保持部が設けられていることが好ましい。
本発明では、外装筐体にはインターロックスイッチが嵌合固定されるスイッチ保持部が形成されているので、例えばねじを用いてインターロックスイッチを外装筐体に固定する構成と比較して、ねじによる固定構造を別途、外装筐体やインターロックスイッチに設ける必要がなく、前記固定構造が設けられるスペースを省略してプロジェクタの小型化がさらに図れる。
【０００９】
本発明のプロジェクタでは、前記交換用開口部は、前記外装筐体の各側壁部のいずれか一の側壁部に形成され、前記交換用開口部の周縁部分には、前記側壁部の外面から内部に向けて窪み、前記一の側壁部から前記一の側壁部に交差する他の側壁部にかけて設置用凹部が形成され、前記蓋体は、前記設置用凹部に対応した形状を有し、前記設置用凹部上を摺動自在に設けられ、前記交換用開口部の縁部および前記設置用凹部の少なくともいずれか一方と前記蓋体とには、前記蓋体の摺動方向に沿って突出する係合用突起部と、前記蓋体が前記外装筐体に取り付けられる取付位置に摺動された際に前記係合用突起部が挿通され前記蓋体の前記外装筐体から離間する方向への移動を規制する係合用凹部とを有する係合構造が設けられていることが好ましい。
【００１０】
ところで、例えば、外装筐体に対して交換用開口部の開口面に略直交する方向に蓋体を着脱する構成とした場合には、外装筐体に対して蓋体が取り付けられた状態において、プロジェクタに外力が加えられた場合等に、外装筐体に対して前記開口面に直交する方向に蓋体の位置がずれてしまう恐れがある。そして、インターロックスイッチは、蓋体の着脱に連動するように構成されているため、上述したように蓋体の位置がずれた場合には、電源コネクタから電源装置への電力供給を遮断してしまい、プロジェクタから画像光が投射されなくなる等の誤動作が生じる恐れがある。
また、上述したような蓋体の位置ずれを防止するために、蓋体をねじ等にて固定する構成が考えられるが、このような構成では、外装筐体の外面にねじが露出してしまい、プロジェクタの外観が損なわれてしまう。
【００１１】
本発明では、蓋体は、外装筐体に形成された設置用凹部上を摺動自在に構成されている。そして、交換用開口部の縁部および設置用凹部の少なくともいずれか一方と蓋体とには、係合用突起部および係合用凹部を有する係合構造が設けられている。このことにより、蓋体を設置用凹部に設置し取付位置に摺動させることで、係合用凹部に係合用突起部が挿通され、蓋体の外装筐体から離間する方向への移動が規制された状態で外装筐体に対して蓋体が取り付けられる。このため、プロジェクタに外力が加えられた場合等でも、外装筐体に対する交換用開口部の開口面に直交する方向への蓋体の位置ずれが生じることがなく、インターロックスイッチの誤動作を防止しプロジェクタを良好に動作させることができる。
また、上述した係合構造を採用すれば、蓋体をねじ等にて固定する構成を採用しなくてもよいため、プロジェクタの外観が損なわれることもない。
【００１２】
本発明のプロジェクタでは、前記蓋体には、前記交換用開口部を介して内部に突出し、前記蓋体が前記取付位置から離間する方向に摺動された際に前記交換用開口部の縁部に当接する規制用突起部と、前記規制用突起部が前記交換用開口部の縁部に当接した状態で前記インターロックスイッチを押圧し前記電力供給を許容させる作動用突起部とが設けられ、前記作動用突起部は、前記蓋体の摺動方向に沿って延出し、前記蓋体の前記取付位置への摺動時に前記インターロックスイッチの押圧状態を継続することが好ましい。
【００１３】
ところで、例えば、設置用凹部上での蓋体の摺動方向に沿う方向から蓋体を設置用凹部に設置し、さらに、設置用凹部上で取付位置に向けて蓋体を摺動させて、外装筐体に対して蓋体を取り付ける構成とした場合には、作動用突起部としては、設置用凹部上で蓋体を摺動させる過程において、インターロックスイッチを徐々に押圧し始める構成を採用する必要がある。具体的に、作動用突起部の形状としては、先端部分において、インターロックスイッチに当接しつつインターロックスイッチを押圧する斜面を形成する必要があり、斜面を形成する分だけ蓋体の摺動方向に沿う長さ寸法を長くする必要がある。
【００１４】
本発明では、蓋体には、規制用突起部が設けられている。すなわち、設置用凹部上での蓋体の摺動方向に沿う方向から蓋体を設置用凹部に設置することができず、交換用開口部の開口面に略直交する方向から規制用突起部が交換用開口部に挿通されるように蓋体を設置用凹部に設置し、さらに、設置用凹部上で取付位置に向けて蓋体を摺動させて、外装筐体に対して蓋体を取り付ける構成としている。そして、作動用突起部は、蓋体の摺動方向に沿って延出し、規制用突起部が交換用開口部の縁部に当接した状態でインターロックスイッチを押圧し、さらに、蓋体の取付位置への摺動時にインターロックスイッチの押圧状態を継続するように構成されている。このことにより、作動用突起部として、設置用凹部上で蓋体を摺動させる過程において、インターロックスイッチを徐々に押圧し始めるための斜面を先端部分に形成する必要がなく、蓋体の摺動方向に沿う長さ寸法を短く簡素な形状とすることができる。
また、設置用凹部上で蓋体を摺動させる過程においてインターロックスイッチを徐々に押圧し始める構成ではなく、蓋体を設置用凹部に設置した状態で作動用突起部にてインターロックスイッチを押圧できるため、作動用突起部やインターロックスイッチの変形を抑制し、外装筐体に対する蓋体の取付時において、インターロックスイッチを確実に押圧し、プロジェクタを良好に動作させることができる。
【００１５】
本発明のプロジェクタでは、前記外装筐体には、前記交換用開口部の開口面に直交する方向から見た場合に、前記インターロックスイッチを平面的に覆う遮蔽部が設けられ、前記遮蔽部には、前記インターロックスイッチに向けて貫通する貫通孔が形成され、前記蓋体には、前記貫通孔を介して内部に突出し前記インターロックスイッチを押圧して前記電力供給を許容させる作動用突起部が設けられていることが好ましい。
本発明によれば、外装筐体には、蓋体の作動用突起部が挿通される貫通孔を有し、インターロックスイッチを平面的に覆う遮蔽部が設けられている。このことにより、外装筐体から蓋体が取り外された状態においても、インターロックスイッチが遮蔽部にて覆われることとなる。このため、光源装置の交換時において、インターロックスイッチが操作されることを防止でき、安全な状態で光源装置を交換できる。
【発明を実施するための最良の形態】
【００１６】
以下、本発明の実施の一形態を図面に基づいて説明する。
〔外観構成〕
図１ないし図３は、本実施形態におけるプロジェクタ１の外観を示す斜視図である。具体的に、図１はプロジェクタ１を前面上方側から見た斜視図であり、図２はプロジェクタ１を背面上方側から見た斜視図であり、図３は図２の状態からランプカバーを取り外した状態を示す斜視図である。
なお、以下で記載する「上」、「下」、「左」、「右」は、図１における図面視において、上下左右に相当するものである。また、以下で説明する「前面」、「背面」も、図１における図面視において、前面および背面に相当するものである。
プロジェクタ１は、光源から射出された光束を画像情報に応じて変調して画像光を形成し、形成した画像光をスクリーン（図示略）上に拡大投射する。このプロジェクタ１は、図１ないし図３に示すように、外装を構成する外装筐体２を備える。
【００１７】
外装筐体２は、プロジェクタ１の装置本体を収納する。この外装筐体２は、図１ないし図３に示すように、側壁部としての天面部２Ａ、前面部２Ｂ、背面部２Ｃ、左側面部２Ｄ、および右側面部２Ｅをそれぞれ構成するアッパーケース２１と、プロジェクタ１の底面部２Ｆ、前面部２Ｂ、背面部２Ｃ、左側面部２Ｄ、および右側面部２Ｅをそれぞれ構成するロアーケース２２とを備える。
この外装筐体２において、天面部２Ａの背面左側の角隅部分には、図１ないし図３に示すように、外面から内部に向けて窪む設置用凹部７が形成されている。また、設置用凹部７の底部分には、図３に示すように、後述する光源装置３１を交換するための交換用開口部８が形成されている。さらに、外装筐体２には、図１または図２に示すように、設置用凹部７に設置され、交換用開口部８を閉塞する蓋体としてのランプカバー９が着脱自在に設けられている。
なお、設置用凹部７、交換用開口部８、およびランプカバー９の詳細な形状については、後述する。
【００１８】
また、外装筐体２において、背面部２Ｃの右下角隅部分には、図２または図３に示すように、電源ケーブル（図示略）が挿し込まれ、電源ケーブルを介して外部から供給される電力をプロジェクタ１の装置本体に供給させるための電源コネクタ１０が外部に露出している。
【００１９】
〔内部構成〕
図４は、外装筐体２内部に収容される装置本体を模式的に示す図である。
外装筐体２内部には、図４に示す装置本体が収容されている。そして、この装置本体は、光学ユニット３と、フィルタ回路基板４と、電源装置５と、インターロックスイッチ６等を備える。
なお、具体的な図示は省略したが、外装筐体２内において、各部材３〜６以外の空間には、プロジェクタ１内部に空気を導入させ内部の各構成部材を冷却する冷却ファン等を備えた冷却ユニット、プロジェクタ１内部の空気を外部に排出する排気ファンや排気ダクト等を備えた排気装置、プロジェクタ１の各構成部材の動作を制御する制御装置等が配置されるものとする。
【００２０】
〔光学ユニットの構成〕
光学ユニット３は、図４に示すように、光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、投射光学装置としての投射レンズ３６と、内部に所定の照明光軸Ａｘが設定され、照明光軸Ａｘに対する所定位置に各光学部品３２〜３５を収納する光学部品用筐体３７とを備える。
なお、上述した各光学部品３２〜３６については、種々の一般的なプロジェクタの光学系として利用されているため、具体的な説明を省略し、以下では、光源装置３１の構成のみを説明する。
【００２１】
光源装置３１は、前記制御装置による制御の下、電源装置５から供給される電力により点灯して平行光を照明光学装置３２に射出する。この光源装置３１は、図４に示すように、光源ランプ３１１１およびリフレクタ３１１２が一体化された光源装置本体３１１と、平行化レンズ３１２と、ランプハウジング３１３とを備える。
光源ランプ３１１１としては、ハロゲンランプやメタルハライドランプ、または高圧水銀ランプが用いられる。
リフレクタ３１１２は、断面略凹状に拡がり凹状内側に形成された反射面にて光源ランプ３１１１から放射された光束を反射する。本実施形態では、リフレクタ３１１２として、光源ランプ３１１１から放射された光束を所定位置に収束するように反射する楕円面リフレクタを採用している。なお、リフレクタ３１１２としては、楕円面リフレクタの他、光源ランプ３１１１から射出された光束を略平行化して反射するパラボラリフレクタを用いてもよい。この場合には、リフレクタ３１１２の光射出前方側に配置される平行化レンズ３１２を省略する。
平行化レンズ３１２は、リフレクタ３１１２にて反射された収束光を略平行化して射出する。
【００２２】
ランプハウジング３１３は、略直方体形状を有し、内部において光源装置本体３１１および平行化レンズ３１２を支持固定することで、光源装置本体３１１および平行化レンズ３１２を一体化する。そして、ランプハウジング３１３は、光学部品用筐体３７に接続し、光源装置本体３１１および平行化レンズ３１２を光学部品用筐体３７に対する所定位置（光源装置３１から射出される光束の中心軸と光学部品用筐体３７内に設定された照明光軸Ａｘとが略一致する位置）に位置決めする。
このランプハウジング３１３において、詳細な図示は省略したが、図４に示すように、背面左側の角隅部分（リフレクタ３１１２の光射出後方側の角隅部分）が面取りされている。
また、ランプハウジング３１３の外面には、上方側に向けて突出するように、利用者により把持される把持部３１３Ａ（図３）が設けられている。
【００２３】
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調され、色光毎の画像光が形成される。色光毎の画像光は、クロスダイクロイックプリズム３５４にて合成され、投射レンズ３６にてスクリーン（図示略）に拡大投射される。
【００２４】
〔フィルタ回路基板の構成〕
図５は、外装筐体２内部でのフィルタ回路基板４、電源装置５、およびインターロックスイッチ６の配置状態を示す斜視図である。
フィルタ回路基板４は、図５に示すように、背面右側の角隅部分に配設され、電源コネクタ１０とケーブルＣ１を介して接続する。そして、フィルタ回路基板４は、電源コネクタ１０を介して外部から供給される交流電流からノイズ、特に高周波ノイズを除去する。ここで、高周波ノイズが電流に含まれると、電子回路の動作に大きな影響を与えることとなり、動作不良の原因となる。この高周波ノイズをフィルタ回路基板４に実装されたコイル素子等によって除去することにより、電源装置５等のプロジェクタ１の電子部品の動作を安定化できる。
【００２５】
〔電源装置の構成〕
電源装置５は、フィルタ回路基板４によってノイズが除去された交流電流に対して、ＡＣ／ＤＣ変換を実施し、所定の直流電圧を生成して、光源ランプ３１１１、前記冷却ファン、前記排気ファン、および前記制御装置等に出力する。この電源装置５は、図５に示すように、前面側の左右方向略中央部分に配設されている。この電源装置５としては、例えば、交流電流を整流して直流電流に変換するダイオードブリッジ等を有する整流回路や、入力した直流の電圧を所定の電圧に変換するＤＣ／ＤＣコンバータ等にて構成できる。
【００２６】
〔インターロックスイッチの構成〕
インターロックスイッチ６は、図５に示すように、フィルタ回路基板４と電源装置５との間にケーブルＣ２，Ｃ３を介して接続し、スイッチ部６１が押下（押圧）されることで本体部６２内部においてケーブルＣ２，Ｃ３間を導通状態とし、スイッチ部６１への押下が解除されることで本体部６２内部においてケーブルＣ２，Ｃ３間を非導通状態とするメカニカルスイッチで構成されている。
ここで、ロアーケース２２において、背面左側の角隅部分（光源装置３１におけるリフレクタ３１１２の光射出後方側）には、図５に示すように、上方側に向けて突出し、本体部６２の外形形状に対応した矩形枠状のスイッチ保持部２２１が立設されている。
そして、インターロックスイッチ６は、スイッチ部６１が上方側に向く状態で、スイッチ保持部２２１に嵌合固定される。
また、スイッチ部６１の先端部分には、左右方向略中央部分に位置し、前後方向に延びる溝部６１１が形成されている。
【００２７】
〔設置用凹部および交換用開口部の詳細な形状〕
図６は、設置用凹部７および交換用開口部８の形状を示す斜視図である。
設置用凹部７は、図６に示すように、外装筐体２の外面から内部に向けて窪み、天面部２Ａから天面部２Ａに交差する背面部２Ｃおよび左側面部２Ｄにかけて形成されている。なお、以下では、説明の便宜上、天面部２Ａに形成された部位を第１設置用凹部７１とし、背面部２Ｃに形成された部位を第２設置用凹部７２とし、左側面部２Ｄに形成された部位を第３設置用凹部７３とする。
【００２８】
第１設置用凹部７１において、底部分には、図６に示すように、交換用開口部８が形成されている。
交換用開口部８は、光源装置３１の配設位置に対応した位置において、光源装置３１（ランプハウジング３１３）の平面形状に対応した形状を有している。
この交換用開口部８の縁部は、内部に向けて延出するようにリブ状に形成されている。
そして、この交換用開口部８において、前面側の縁部の下方側には、左右方向略中央位置、および左側（図６では右側）の位置に、係合用凹部としての２つの切り欠き部８１，８２が形成されている。
【００２９】
図７は、交換用開口部８とインターロックスイッチ６との位置関係を上方側から見た平面図である。
また、第１設置用凹部７１において、底部分には、図７に示すように、背面左側の角隅部分が交換用開口部８内側に向けて張り出し、交換用開口部８の開口面に直交する上方側から見た場合に、インターロックスイッチ６を平面的に覆う遮蔽部７１１が形成されている。
この遮蔽部７１１には、内部のインターロックスイッチ６に向けて貫通する貫通孔７１１Ａが形成されている。
具体的に、貫通孔７１１Ａは、インターロックスイッチ６の溝部６１１に対応して前後方向に延び、第２設置用凹部７２の底部分まで貫通するように形成されている。
【００３０】
第２設置用凹部７２において、底部分には、図６に示すように、左右両側に、内部に向けて貫通する２つの係合用凹部７２１，７２２が形成されている。
【００３１】
〔ランプカバーの詳細な形状〕
図８は、ランプカバー９を裏面側から見た斜視図である。
ランプカバー９は、図８に示すように、設置用凹部７に対応した形状を有し、設置用凹部７に設置された状態で前後方向に摺動自在に設けられている。このランプカバー９は、外装筐体２に取り付けられた状態で、第１設置用凹部７１に当接し外装筐体２の天面部２Ａの一部を構成する第１カバー部９１と、第２設置用凹部７２に当接し外装筐体２の背面部２Ｃの一部を構成する第２カバー部９２と、第３設置用凹部７３に当接し外装筐体２の左側面部２Ｄの一部を構成する第３カバー部９３とで構成されている。
【００３２】
第１カバー部９１において、裏面の前面側には、図８に示すように、下方側に向けて突出し、交換用開口部８における前面側の縁部に対応して左右方向に延びる部位９１２、左側の縁部に対応して前後方向に延びる部位９１３、および右側の縁部に対応して前後方向に延びる部位９１４を有する略Ｕ字状のリブ９１１が立設されている。
部位９１２において、交換用開口部８の２つの切り欠き部８１，８２に対応した位置には、前面側に向けて突出し、各切り欠き部８１，８２にそれぞれ挿通される２つの第１係合用突起部９１２１，９１２２が形成されている。
部位９１３は、ランプカバー９を設置用凹部７に設置した際に、交換用開口部８を介して内部に突出し、交換用開口部８における左側の縁部に当接し、設置用凹部７上でのランプカバー９の前後方向の摺動を案内する。また、部位９１３は、ランプカバー９が背面側に摺動された際に、交換用開口部８における背面側の縁部（遮蔽部７１１の端部）に当接し、ランプカバー９の背面側への移動を規制する第１規制用突起部として機能する。
【００３３】
また、部位９１４は、部位９１３と同様に、ランプカバー９を設置用凹部７に設置した際に、交換用開口部８を介して内部に突出し、交換用開口部８における右側の縁部に当接し、設置用凹部７上でのランプカバー９の前後方向の摺動を案内する。また、部位９１４の前後方向略中央部分には、他の部分よりも突出する第２規制用突起部９１５が形成されている。
この第２規制用突起部９１５は、第１規制用突起部９１３と同様に、ランプカバー９が背面側に摺動された際に、交換用開口部８における背面側の縁部に当接し、ランプカバー９の背面側への移動を規制する。
【００３４】
また、第１カバー部９１において、裏面の背面側には、図８に示すように、下方側に向けて突出し、遮蔽部７１１の貫通孔７１１Ａに対応して前後方向に延びる略矩形板状の作動用突起部９１６が立設されている。
この作動用突起部９１６は、ランプカバー９が設置用凹部７に設置された状態で、貫通孔７１１Ａを介して内部に突出し、インターロックスイッチ６のスイッチ部６１を押下してケーブルＣ２，Ｃ３間を導通状態とする。
なお、作動用突起部９１６における前後方向の長さ寸法は、スイッチ部６１における溝部６１１の前後方向の長さ寸法よりも若干大きく設定されている。
【００３５】
第２カバー部９２の裏面において、第２設置用凹部７２の２つの係合用凹部７２１，７２２に対応した位置には、前面側に向けて突出し、各係合用凹部７２１，７２２にそれぞれ挿通される２つの第２係合用突起部９２１，９２２（図８ないし図１０参照）が形成されている。
【００３６】
〔ランプカバーによるインターロックスイッチの作動構造〕
次に、上述したランプカバー９によるインターロックスイッチ６の作動構造を説明する。
図９ないし図１１は、ランプカバー９によるインターロックスイッチ６の作動構造を説明する図である。具体的に、図９は、ランプカバー９が設置用凹部７に設置された状態（外装筐体２に対してランプカバー９が取り付けられる前の状態）を上方側から見た斜視図である。図１０は、図９の状態を外装筐体２の内面側から見た斜視図である。図１１（Ａ）はランプカバー９が取り外された際のインターロックスイッチ６の状態を示す図であり、図１１（Ｂ）は図９および図１０の状態でのインターロックスイッチ６の状態を示す図であり、図１１（Ｃ）は外装筐体２に対してランプカバー９が取り付けられた状態（図１および図２に示す状態）でのインターロックスイッチ６の状態を示す図である。
【００３７】
ランプカバー９が取り外された状態（図３の状態）では、図１１（Ａ）に示すように、作動用突起部９１６にてスイッチ部６１が押下されておらず、インターロックスイッチ６にてケーブルＣ２，Ｃ３間が非導通状態とされる。すなわち、この状態では、電源コネクタ１０およびフィルタ回路基板４を介して外部から電源装置５への電力供給が遮断される。このため、例えば、電源コネクタ１０に電源ケーブルが挿し込まれ、外部から電力が供給されている状態で、かつ、利用者により操作パネル１１（図１）に電源オンの入力操作が実施されている状態であっても、ランプカバー９が取り外されると、インターロックスイッチ６によりケーブルＣ２，Ｃ３間が非導通状態とされ、光源ランプ３１１１、前記冷却ファン、前記排気ファン、および前記制御装置等の駆動が停止される。
そして、利用者は、図３に状態において、把持部３１３Ａを把持しながら交換用開口部８を介して光源装置３１を外装筐体２内外に挿抜することで、光源装置３１を交換する。
【００３８】
図３の状態から、外装筐体２に対してランプカバー９を取り付ける際には、先ず、図９または図１０に示すように、各規制用突起部９１３，９１５が交換用開口部８内部に挿通されるように、ランプカバー９を上方側から設置用凹部７に設置する。
なお、図９および図１０では、各規制用突起部９１３，９１５が交換用開口部８における背面側の縁部に当接し、ランプカバー９の背面側への移動が規制された状態を示している。
この状態では、図１１（Ｂ）に示すように、作動用突起部９１６が遮蔽部７１１の貫通孔７１１Ａを介して内部に突出し、スイッチ部６１が押下され、インターロックスイッチ６にてケーブルＣ２，Ｃ３間が導通状態とされる。
【００３９】
次に、設置用凹部７上でランプカバー９を前面側に摺動させ、ランプカバー９を図１または図２に示す取付位置に位置付ける。ランプカバー９を取付位置に位置付けることで、各第１係合用突起部９１２１，９１２２が各切り欠き部８１，８２にそれぞれ挿通されるとともに、各第２係合用突起部９２１，９２２が各係合用凹部７２１，７２２にそれぞれ挿通され、ランプカバー９の上方側への移動が規制される。
そして、作動用突起部９１６は、図１１（Ｂ）および図１１（Ｃ）に示すように、ランプカバー９が設置用凹部７に設置された状態から取付位置への摺動時において、スイッチ部６１の溝部６１１上を摺動し、スイッチ部６１の押下状態を継続する。
【００４０】
上述した本実施形態によれば、以下の効果がある。
本実施形態では、プロジェクタ１を構成するインターロックスイッチ６は、電源コネクタ１０および電源装置５間にケーブルＣ２，Ｃ３を介して接続されている。このことにより、インターロックスイッチ６を電源装置５から離間した位置に配設することができ、すなわち、電源装置５をランプカバー９周辺に配設する必要がなく、プロジェクタ１内部のレイアウトの自由度を向上できる。
また、インターロックスイッチ６は、リフレクタ３１１２の光射出後方側に配設されている。すなわち、デッドスペースとなるリフレクタ３１１２の光射出後方側にインターロックスイッチ６を配設することで、外装筐体２内部において、インターロックスイッチ６を配設するためのスペースを別途、設ける必要がなく、プロジェクタ１の小型化が図れる。
【００４１】
また、ロアーケース２２にはインターロックスイッチ６が嵌合固定されるスイッチ保持部２２１が形成されているので、例えばねじを用いてインターロックスイッチ６を外装筐体２に固定する構成と比較して、ねじによる固定構造を別途、外装筐体２やインターロックスイッチ６に設ける必要がなく、前記固定構造が設けられるスペースを省略してプロジェクタ１の小型化がさらに図れる。
【００４２】
さらに、ランプカバー９は、外装筐体２に形成された設置用凹部７上を摺動自在に構成されている。そして、交換用開口部８の縁部および設置用凹部７とランプカバー９とには、各切り欠き部８１，８２および各係合用凹部７２１，７２２と各係合用突起部９２１，９２２，９１２１，９１２２とを有する係合構造が設けられている。このことにより、ランプカバー９を設置用凹部７に設置し取付位置に摺動させることで、各切り欠き部８１，８２および各係合用凹部７２１，７２２に各係合用突起部９２１，９２２，９１２１，９１２２が挿通され、ランプカバー９の上方側への移動が規制された状態で外装筐体２に対してランプカバー９が取り付けられる。このため、プロジェクタ１に外力が加えられた場合等でも、外装筐体２に対するランプカバー９の上方側への位置ずれが生じることがなく、インターロックスイッチ６の誤動作を防止しプロジェクタ１を良好に動作させることができる。
また、上述した係合構造を採用すれば、ランプカバー９をねじ等にて固定する構成を採用しなくてもよいため、プロジェクタ１の外観が損なわれることもない。
【００４３】
さらに、ランプカバー９には、規制用突起部９１３，９１５が設けられている。すなわち、設置用凹部７上でのランプカバー９の摺動方向に沿う前後方向からランプカバー９を設置用凹部７に設置することができず、上方側から規制用突起部９１３，９１５が交換用開口部８に挿通されるようにランプカバー９を設置用凹部７に設置し、さらに、設置用凹部７上で取付位置に向けてランプカバー９を摺動させて、外装筐体２に対してランプカバー９を取り付ける構成としている。そして、作動用突起部９１６は、ランプカバー９の摺動方向に沿って延出し、規制用突起部９１３，９１５が交換用開口部８の縁部に当接した状態でインターロックスイッチ６のスイッチ部６１を押下し、さらに、ランプカバー９の取付位置への摺動時にスイッチ部６１の押下状態を継続するように構成されている。このことにより、作動用突起部９１６として、設置用凹部７上でランプカバー９を摺動させる過程において、スイッチ部６１を徐々に押下し始めるための斜面を先端部分に形成する必要がなく、ランプカバー９の摺動方向に沿う長さ寸法をスイッチ部６１における溝部６１１の前後方向の長さ寸法と略同一寸法となる短い寸法で簡素な形状とすることができる。
【００４４】
また、設置用凹部７上でランプカバー９を摺動させる過程においてスイッチ部６１を徐々に押下し始める構成ではなく、ランプカバー９を設置用凹部７に設置した状態で作動用突起部９１６にてスイッチ部６１を押下できるため、作動用突起部９１６やスイッチ部６１の変形を抑制し、外装筐体２に対するランプカバー９の取付時において、スイッチ部６１を確実に押下し、プロジェクタ１を良好に動作させることができる。
【００４５】
さらに、外装筐体２には、作動用突起部９１６が挿通される貫通孔７１１Ａを有し、インターロックスイッチ６を平面的に覆う遮蔽部７１１が設けられている。このことにより、外装筐体２からランプカバー９が取り外された状態においても、インターロックスイッチ６が遮蔽部７１１にて覆われることとなる。このため、光源装置３１の交換時において、インターロックスイッチ６が操作されることを防止でき、安全な状態で光源装置３１を交換できる。
また、ランプカバー９が設置用凹部７に設置され、作動用突起部９１６にてスイッチ部６１が押下された状態においても、図９に示すように、交換用開口部８の略全てがランプカバー９にて閉塞された状態となっているため、交換用開口部８を介して内部に手や指が入り込むことを防止し、安全な状態で光源装置３１を交換できる。
【００４６】
なお、本発明は前述の実施形態に限定されるものではなく、本発明の目的を達成できる範囲での変形、改良等は本発明に含まれるものである。
前記実施形態では、ランプカバー９は、天面部２Ａ側に設けられていたが、これに限らず、その他の側壁部２Ｂ〜２Ｆ側に設けた構成としても構わない。この際、インターロックスイッチ６におけるスイッチ部６１の位置もランプカバー９の配設位置に応じた位置に設ければよい。
前記実施形態では、ランプカバー９は、作動用突起部９１６が形成されていたが、これに限らず、作動用突起部９１６を省略し、スイッチ部６１をランプカバー９の裏面にて押下する構成としても構わない。
【００４７】
前記実施形態では、設置用凹部７上でランプカバー９を摺動させて外装筐体２に対してランプカバー９を取り付ける構成としていたが、これに限らず、外装筐体２に対して交換用開口部８の開口面に略直交する方向にランプカバー９を着脱する構成としても構わない。
前記実施形態では、係合用凹部としての各切り欠き部８１，８２および係合用凹部７２１，７２２が交換用開口部８の縁部および設置用凹部７のそれぞれに形成されていたが、これに限らず、交換用開口部８の縁部および設置用凹部７のいずれか一方のみに形成されていても構わない。また、交換用開口部８の縁部および設置用凹部７に係合用凹部８１，８２，７２１，７２２が形成され、ランプカバー９に係合用突起部９２１，９２２，９１２１，９１２２が形成されていたが、交換用開口部８の縁部および設置用凹部７に係合用突起部を形成し、ランプカバー９に係合用凹部を形成しても構わない。
【００４８】
前記実施形態では、光変調装置として、透過型の液晶パネル３５１を採用していたが、これに限らず、反射型の液晶パネル、あるいは、ＤＭＤ(Digital Micromirror Device)(米国テキサスインスツルメント社の商標)等を採用してもよい。
前記実施形態では、フロント投射型のプロジェクタの例のみを挙げたが、本発明は、スクリーンを備え、該スクリーンの裏面側から投射を行うリアタイプのプロジェクタにも適用可能である。
【産業上の利用可能性】
【００４９】
本発明は、インターロックスイッチを設けた場合であっても、内部のレイアウトの自由度を向上できるとともに小型化が図れるため、プレゼンテーションやホームシアタに用いられるプロジェクタに利用できる。
【図面の簡単な説明】
【００５０】
【図１】本実施形態におけるプロジェクタの外観を示す斜視図。
【図２】前記実施形態におけるプロジェクタの外観を示す斜視図。
【図３】前記実施形態におけるプロジェクタの外観を示す斜視図。
【図４】前記実施形態における外装筐体内部に収容される装置本体を模式的に示す図。
【図５】前記実施形態における外装筐体内部でのフィルタ回路基板、電源装置、およびインターロックスイッチの配置状態を示す斜視図。
【図６】前記実施形態における設置用凹部および交換用開口部の形状を示す斜視図。
【図７】前記実施形態における交換用開口部とインターロックスイッチとの位置関係を上方側から見た平面図。
【図８】前記実施形態におけるランプカバーを裏面側から見た斜視図。
【図９】前記実施形態におけるランプカバーによるインターロックスイッチの作動構造を説明する図。
【図１０】前記実施形態におけるランプカバーによるインターロックスイッチの作動構造を説明する図。
【図１１】前記実施形態におけるランプカバーによるインターロックスイッチの作動構造を説明する図。
【符号の説明】
【００５１】
１・・・プロジェクタ、２・・・外装筐体、５・・・電源装置、６・・・インターロックスイッチ、７・・・設置用凹部、８・・・交換用開口部、９・・・ランプカバー（蓋体）、１０・・・電源コネクタ、３１・・・光源装置、８１，８２・・・切り欠き部（係合用凹部）、２２１・・・スイッチ保持部、７１１・・・遮蔽部、７１１Ａ・・・貫通孔、７２１，７２２・・・係合用凹部、３１１１・・・光源ランプ、９１３，９１５・・・規制用突起部、９１６・・・作動用突起部、９２１，９２２，９１２１，９１２２・・・係合用突起部、３１１２・・・リフレクタ、Ｃ２，Ｃ３・・・ケーブル。
【図１】
2009210860.tif 000003
【図２】
2009210860.tif 000004
【図３】
2009210860.tif 000005
【図４】
2009210860.tif 000006
【図５】
2009210860.tif 000007
【図６】
2009210860.tif 000008
【図７】
2009210860.tif 000009
【図８】
2009210860.tif 000010
【図９】
2009210860.tif 000011
【図１０】
2009210860.tif 000012
【図１１】
2009210860.tif 000013